(57)【要約】【課題】  血圧測定を行う電子血圧計において、検出された圧力データに含まれる脈波成分の山の形状の変遷を可視化する。【解決手段】  電子血圧計であって、検出されたカフの圧力に重畳された各脈波成分５１１〜５１５を抽出し、該抽出された各脈波成分の各時間における振幅値を識別し、振幅ごとに予め定められた色を該各脈波成分の各時間の経過に沿って割り当て、前記各脈波成分が抽出された際の前記カフ内の圧力を縦軸とし、前記抽出された各脈波成分の抽出開始時点からの時間の経過を横軸とした平面上（ｄ）に、予め定められた色が割り当てられた前記各脈波成分を配置する（５４１〜５４５）ことにより画像を生成し、該生成された画像を出力することを特徴とする。【選択図】図５
2010220887.tif 000002
【特許請求の範囲】
【請求項１】
血管を圧迫するカフが接続され、該カフの減圧過程において、該血管の脈波成分が複数重畳された該カフの圧力を検出する電子血圧計であって、
前記検出されたカフの圧力に重畳された各脈波成分を抽出する抽出手段と、
前記抽出された各脈波成分の各時間における振幅値を識別する識別手段と、
前記各脈波成分が抽出された際の前記カフの圧力を表わす第１の軸と、前記抽出された各脈波成分の抽出開始の時点からの時間経過を表わす第２の軸とにより規定される平面上に、前記抽出された各脈波成分ごとに、前記識別手段により識別された振幅値を示す情報を配置することにより、画像を生成する生成手段と、
前記生成された画像を出力する出力手段と
を備えることを特徴とする電子血圧計。
【請求項２】
血管を圧迫するカフが接続され、該カフの減圧過程において、該血管の脈波成分が複数重畳された該カフの圧力を検出する電子血圧計であって、
前記検出されたカフの圧力に重畳された各脈波成分を抽出する抽出手段と、
前記抽出された各脈波成分の各時間における振幅値の一次微分値を識別する識別手段と、
前記各脈波成分が抽出された際の前記カフの圧力を表わす第１の軸と、前記抽出された各脈波成分の抽出開始の時点からの時間経過を表わす第２の軸とにより規定される平面上に、前記抽出された各脈波成分ごとに、前記識別手段により識別された振幅値の一次微分値を示す情報を配置することにより、画像を生成する生成手段と、
前記生成された画像を出力する出力手段と
を備えることを特徴とする電子血圧計。
【請求項３】
血管を圧迫するカフが接続され、該カフの減圧過程において、該血管の脈波成分が複数重畳された該カフの圧力を検出する電子血圧計であって、
前記検出されたカフの圧力に重畳された各脈波成分を抽出する抽出手段と、
前記抽出された各脈波成分の各時間における振幅値の二次微分値を識別する識別手段と、
前記各脈波成分が抽出された際の前記カフの圧力を表わす第１の軸と、前記抽出された各脈波成分の抽出開始の時点からの時間経過を表わす第２の軸とにより規定される平面上に、前記抽出された各脈波成分ごとに、前記識別手段により識別された振幅値の二次微分値を示す情報を配置することにより、画像を生成する生成手段と、
前記生成された画像を出力する出力手段と
を備えることを特徴とする電子血圧計。
【請求項４】
前記抽出手段は、前記各脈波成分が現れた時点から予め定められた時間遡った時点を前記抽出開始の時点とし、該各脈波成分が現れた時点から予め定められた時間経過した時点を抽出終了の時点として、前記各脈波成分を抽出することを特徴とする請求項１乃至３のいずれか１項に記載の電子血圧計。
【請求項５】
前記識別手段は、前記抽出された各脈波成分から、前記カフの減圧成分を取り除いた後の各脈波成分について、各時間における振幅値を識別することを特徴とする請求項１に記載の電子血圧計。
【請求項６】
前記識別手段は、前記抽出された各脈波成分から、前記カフの減圧成分を取り除いた後の各脈波成分について、各時間における振幅値の一次微分値を識別することを特徴とする請求項２に記載の電子血圧計。
【請求項７】
前記識別手段は、前記抽出された各脈波成分から、前記カフの減圧成分を取り除いた後の各脈波成分について、各時間における振幅値の二次微分値を識別することを特徴とする請求項３に記載の電子血圧計。
【請求項８】
前記生成手段は、前記識別された振幅値を表わす第３の軸と前記平面とにより規定される空間内に、前記識別された振幅値を示す折れ線グラフを配置することにより、前記画像を生成することを特徴とする請求項１または５に記載の電子血圧計。
【請求項９】
前記生成手段は、前記識別された振幅値の一次微分値を表わす第３の軸と前記平面とにより規定される空間内に、前記識別された振幅値の一次微分値を示す折れ線グラフを配置することにより、前記画像を生成することを特徴とする請求項２または６に記載の電子血圧計。
【請求項１０】
前記生成手段は、前記識別された振幅値の二次微分値を表わす第３の軸と前記平面とにより規定される空間内に、前記識別された振幅値の二次微分値を示す折れ線グラフを配置することにより、前記画像を生成することを特徴とする請求項３または７に記載の電子血圧計。
【請求項１１】
前記生成手段は、前記平面上に、前記識別された振幅値ごとに予め定められている色を配置することにより、前記画像を生成することを特徴とする請求項１または５に記載の電子血圧計。
【請求項１２】
前記生成手段は、前記平面上に、前記識別された振幅値の一次微分値ごとに予め定められている色を配置することにより、前記画像を生成することを特徴とする請求項２または６に記載の電子血圧計。
【請求項１３】
前記生成手段は、前記平面上に、前記識別された振幅値の二次微分値ごとに予め定められている色を配置することにより、前記画像を生成することを特徴とする請求項３または７に記載の電子血圧計。
【請求項１４】
血管を圧迫するカフが接続され、該カフの減圧過程において、該血管の脈波成分が複数重畳された該カフの圧力を検出する電子血圧計における情報処理方法であって、
前記検出されたカフの圧力に重畳された各脈波成分を抽出する抽出工程と、
前記抽出された各脈波成分の各時間における振幅値を識別する識別工程と、
前記各脈波成分が抽出された際の前記カフの圧力を表わす第１の軸と、前記抽出された各脈波成分の抽出開始の時点からの時間経過を表わす第２の軸とにより規定される平面上に、前記抽出された各脈波成分ごとに、前記識別工程において識別された振幅値を示す情報を配置することにより、画像を生成する生成工程と、
前記生成された画像を出力する出力工程と
を備えることを特徴とする電子血圧計における情報処理方法。
【請求項１５】
血管を圧迫するカフが接続され、該カフの減圧過程において、該血管の脈波成分が複数重畳された該カフの圧力を検出する電子血圧計における情報処理方法であって、
前記検出されたカフの圧力に重畳された各脈波成分を抽出する抽出工程と、
前記抽出された各脈波成分の各時間における振幅の一次微分値を識別する識別工程と、
前記各脈波成分が抽出された際の前記カフの圧力を表わす第１の軸と、前記抽出された各脈波成分の抽出開始の時点からの時間経過を表わす第２の軸とにより規定される平面上に、前記抽出された各脈波成分ごとに、前記識別工程において識別された振幅の一次微分値を示す情報を配置することにより、画像を生成する生成工程と、
前記生成された画像を出力する出力工程と
を備えることを特徴とする電子血圧計における情報処理方法。
【請求項１６】
血管を圧迫するカフが接続され、該カフの減圧過程において、該血管の脈波成分が複数重畳された該カフの圧力を検出する電子血圧計における情報処理方法であって、
前記検出されたカフの圧力に重畳された各脈波成分を抽出する抽出工程と、
前記抽出された各脈波成分の各時間における振幅の二次微分値を識別する識別工程と、
前記各脈波成分が抽出された際の前記カフの圧力を表わす第１の軸と、前記抽出された各脈波成分の抽出開始の時点からの時間経過を表わす第２の軸とにより規定される平面上に、前記抽出された各脈波成分ごとに、前記識別工程において識別された振幅の二次微分値を示す情報を配置することにより、画像を生成する生成工程と、
前記生成された画像を出力する出力工程と
を備えることを特徴とする電子血圧計における情報処理方法。
【請求項１７】
コンピュータに請求項１４乃至１６のいずれか１項に記載の情報処理方法を実行させるためのプログラムを記録したコンピュータ読み取り可能な記録媒体。
【発明の詳細な説明】
【技術分野】
【０００１】
本発明は、電子血圧計及び情報処理方法に関するものである。
【背景技術】
【０００２】
血圧測定部位にカフを巻き、カフ圧を収縮期血圧（最高血圧とも呼ばれる）より高い圧力から、拡張期血圧（最低血圧とも呼ばれる）より低い圧力に向けて徐々に減圧させながら、血圧を測定する電子血圧計が従来より知られており、かかる電子血圧計においては、マイクロフォン法やオシロメトリック法といった測定法が用いられている。
【０００３】
しかしながら、このような電子血圧計の場合、それぞれの測定法における最高血圧及び最低血圧決定の具体的なアルゴリズムは、一般に非公開となっており、通常、ユーザに対しては、決定結果のみが表示される。このため、実際に、どのような圧力データが採取され、採取された圧力データからどのようにして最高血圧及び最低血圧が決定されたのかといった中間段階での情報（以下、中間情報と称す）を、ユーザは知ることができない。
【０００４】
一方で、電子血圧計の種類によっては、中間情報として、採取された圧力データを時系列に表示させる機能を備えているものもある。
【０００５】
しかしながら、この種の電子血圧計の場合、時系列に表示された圧力データと、最高血圧または最低血圧との関係を、読み取ることは困難である。例えば、オシロメトリック法の場合、一般に、検出された圧力データに含まれる各脈波成分の山の形状（プロファイル）の変遷に基づいて最高血圧及び最低血圧が決定されるが、複数の脈波成分が所定間隔で直線上に配列してなる時系列の圧力データを見ただけでは、脈波成分の山の形状（プロファイル）の変遷を把握することは困難だからである。
【０００６】
これに対して、例えば、下記特許文献１では、各脈波成分の高さ（最大高さ）を抽出し、最大高さに対応する長さのバーを脈波成分ごとに互いに隣接して配列することで、最大高さの変遷をグラフ化して表示する方法が提案されている。
【先行技術文献】
【特許文献】
【０００７】
【特許文献１】特公平０２−２５６１０号公報
【発明の概要】
【発明が解決しようとする課題】
【０００８】
しかしながら、上記特許文献１の場合、脈波成分の最大高さの変遷を把握することは可能であるが、最大高さ以外の形状要素は欠落されてしまうため、脈波成分の山の形状（プロファイル）の変遷を把握することまではできない。
【０００９】
本発明は上記課題に鑑みてなされたものであり、電子血圧計において、中間情報として、検出された圧力データに含まれる脈波成分の山の形状（プロファイル）の変遷を可視化することを目的とする。
【課題を解決するための手段】
【００１０】
上記の目的を達成するために、本発明に係る電子血圧計は以下のような構成を備える。即ち、
血管を圧迫するカフが接続され、該カフの減圧過程において、該血管の脈波成分が複数重畳された該カフの圧力を検出する電子血圧計であって、
前記検出されたカフの圧力に重畳された各脈波成分を抽出する抽出手段と、
前記抽出された各脈波成分の各時間における振幅値を識別する識別手段と、
前記各脈波成分が抽出された際の前記カフの圧力を表わす第１の軸と、前記抽出された各脈波成分の抽出開始の時点からの時間経過を表わす第２の軸とにより規定される平面上に、前記抽出された各脈波成分ごとに、前記識別手段により識別された振幅値を示す情報を配置することにより、画像を生成する生成手段と、
前記生成された画像を出力する出力手段とを備える。
【発明の効果】
【００１１】
本発明によれば、電子血圧計において、中間情報として、検出された圧力データに含まれる脈波成分の山の形状の変遷を可視化することが可能となる。
【図面の簡単な説明】
【００１２】
【図１】本発明の第１の実施形態に係る電子血圧計１００の機能構成を示すブロック図である。
【図２】カフ部の構造を詳細に説明するための図である。
【図３】電子血圧計１００における血圧測定処理の流れを示すフローチャートである。
【図４】画像生成部１１６の機能構成を示す図である。
【図５】画像生成部１１６を構成する各部が動作することにより生成されるデータの一例を示す図である。
【図６】圧力データ可視化画像生成部４０４において生成された圧力データ可視化画像の一例を示す図である。
【図７】圧力データ可視化画像生成部４０４において生成された圧力データ可視化画像の一例を示す図である。
【図８】電子血圧計の画像生成部８００の機能構成を示す図である。
【図９】圧力データ可視化画像生成部８０２において生成された圧力データ可視化画像の一例を示す図である。
【図１０】圧力データ可視化画像生成部８０２において生成された圧力データ可視化画像の一例を示す図である。
【図１１】血管の固い被検者を血圧測定することにより得られた圧力データ可視化画像の一例を示す図である。
【図１２】圧力データ可視化画像生成部８０２において生成された圧力データ可視化画像の一例を示す図である。
【発明を実施するための形態】
【００１３】
以下、本発明の各実施形態について図面を参照しながら説明するが、適宜変更が可能でこれらの実施形態に限定されるものではない。
【００１４】
［第１の実施形態］
１．電子血圧計の機能構成
図１は、本発明の第１の実施形態に係る電子血圧計１００の機能構成を示すブロック図である。
【００１５】
図１に示すように、電子血圧計１００は、カフ部１０１と処理部１１０とが別体となって構成されている。
【００１６】
カフ部１０１は、血圧測定部位となる上腕に装着されるカフ布１０５と、血圧測定部位の動脈Ｋを圧迫する阻血用空気袋１０２とを備える。
【００１７】
阻血用空気袋１０２は、脈波を検出する脈波検出用空気袋１０３と、サブ空気袋１０４とを備える。サブ空気袋１０４は、阻血用空気袋１０２の上流側であって血圧測定部位と中央部位との間に配置されており、これにより、カフ布１０５が上腕に装着された際に、サブ空気袋１０４が、心臓Ｈに近い側に位置することとなる。
【００１８】
サブ空気袋１０４は、収縮期血圧を測定した際のＳ／Ｎ比が向上するように、その容量が、阻血用空気袋１０２の容量の半分程度となるように構成されている。なお、サブ空気袋１０４は、図示の大きさに限定されず、阻血用空気袋１０２の中央部位から心臓側に配置されるのであれば、例えば、図中の左側に阻血用空気袋１０２からその一部がはみ出る大きさに構成されていてもよい。また、阻血用空気袋１０２と同様に、上腕の全周にわたって配置されていても良い。サブ空気袋１０４は、第３配管１０８と接続されている。一方、脈波検出用空気袋１０３は、第２配管１０７と接続されている。
【００１９】
処理部１１０は、第１配管１０６、第２配管１０７、第３配管１０８、コネクタ１３８を介してカフ部１０１と接続されており、第２流体抵抗器１１１は、第２配管１０７に対して、図示のように接続される。具体的には、分岐部１０７ａで分岐した第２配管１０７が、減圧流体入口側１１１ｂにおいて、第２流体抵抗器１１１に接続される。また、分岐部１０６ｋで分岐された第１配管１０６が、加圧流体入口側１１１ａにおいて第２流体抵抗器１１１に接続される。
【００２０】
開閉制御部１２１は、第１配管１０６に対して、図示のように接続される。具体的には、分岐部１０６ａで分岐した第１配管１０６が、開閉制御部の一方に接続される。またもう一方には第３配管に接続される。開閉制御部１２１は、一定量サブ空気袋に空気が挿入された後、測定が終了するまで配管を閉じるように制御することにより、サブ空気袋１０４で検出される脈波がカフ圧力検出部１１３で検出されることを消去することができる。なお、第２流体抵抗器１１１の流体抵抗は適宜設定されるものとする。
【００２１】
更に、カフ部１０１の第１配管１０６には、加圧制御部１１９により制御される加圧手段であるポンプ１１８と、減圧の排気制御を行う減圧制御部１２０とが接続される。
【００２２】
一方、第２配管１０７には、圧力センサを備えたカフ圧力検出部１１３が接続される。カフ圧力検出部１１３では、圧力信号の変化をデジタルデータに変換され、減圧過程中のすべての圧力変化をカフ圧信号（圧力データ）として保持される。
【００２３】
脈波検出部１１４では、カフ圧力検出部１１３に保持されたデータを取得し、その圧力データに重畳している脈波を検出し、脈波の発生区間や振幅の立ち上がりの情報、振幅の大きさなどの検出脈波情報を保持する。
【００２４】
血圧検出部１１５では、カフ圧力検出部１１３からの検出カフ圧信号と脈波検出部１１４からの検出脈波信号とに基づいて最高血圧値及び最低血圧値を決定する。
【００２５】
画像生成部１１６では、カフ圧力検出部１１３より検出カフ圧信号（圧力データ）および脈波検出部１１４からの検出脈波信号を受信し、検出カフ圧信号（圧力データ）に含まれる各脈波成分の山の形状の変遷を可視化した圧力データ可視化画像（中間情報）を生成する。
【００２６】
血圧検出部１１５において決定された最高血圧値及び最低血圧値、ならびに画像生成部１１６において生成された圧力データ可視化画像は、血圧表示部１１７において表示される。
【００２７】
２．カフ部の構造
次に、図２を用いて電子血圧計１００におけるカフ部１０１の構造について詳細に説明する。図２（ａ）は、カフ部１０１を幅方向に破断し、血圧測定部位に装着した状態を示す断面図である。また、図２（ｂ）は、加圧／減圧時の電子血圧計１００のカフ部１０１の動作を示す図である。
【００２８】
図２（ａ）に示すように、サブ空気袋１０４の圧迫特性を高めるために、阻血用空気袋１０２とサブ空気袋１０４との間には、パッキング材を含む第１の裏打部材２０２が配置されている。また、阻血用空気袋１０２とカフ布１０５との間には、パッキング材を含む第３の裏打部材２０３が配置されている。
【００２９】
更に、阻血用空気袋１０２と脈波検出用空気袋１０３との間には、パッキング材を含む第２の裏打部材２０１が配置されている。
【００３０】
また、図２（ｂ）に示すように、血圧測定開始時に、阻血用空気袋１０２とサブ空気袋１０４とは同じ圧力で加圧される。阻血用空気袋１０２が加圧されると、阻血用空気袋１０２下の上流部において、血液Ｋ１の流れが阻止される。また、サブ空気袋１０４が加圧されると、阻血用空気袋１０２の上流側から阻血用空気袋１０２の中央部位に向けて流入する血液Ｋ１により発生する容積変化が抑制される。さらにサブ空気袋１０４に接続された開閉制御部１２１により配管が閉じられることで、脈波検出用空気袋１０３に伝わる容積変化がなくなる。
【００３１】
これにより、血流再開時に、阻血用空気袋１０２下の下流側の脈波検出用空気袋１０３の容積変化に伴う脈波変化のみを精度よく検出することができる。
【００３２】
３．電子血圧計における血圧測定処理の流れ
次に、電子血圧計１００における血圧測定処理の流れについて説明する。
【００３３】
図３は、電子血圧計１００における血圧測定処理の流れを示すフローチャートである。不図示の開始スイッチが押下されると、血圧測定処理が開始される。
【００３４】
ステップＳ３０１では、初期設定を実行する。ステップＳ３０２では、血圧表示部１１７の点検を行う（約１秒間、全セグメントを点灯させる）。
【００３５】
ステップＳ３０３では、カフ圧力検出部１１３が圧力計測を開始する。カフ部１０１（以下、カフともいう）に内圧が加わっていないことを確認し、この状態での圧力値をゼロに設定する。
【００３６】
ステップＳ３０４では、減圧制御部を完全に閉じ、ポンプ１１８を作動して加圧エアを送ることでカフ部１０１の加圧を開始する。ある一定量のエアが送られた、もしくは時間が経過した時点で開閉制御部１２１が配管を閉じる。ステップＳ３０５では、加圧されたカフの内圧が開始圧力値に到達したか否かを判定する。
【００３７】
ステップＳ３０５において、開始圧力値に到達していないと判定された場合には、開始圧力値に到達するまで加圧を継続する。一方、開始圧力値に到達したと判定された場合には、ステップＳ３０６に進み、ポンプ１１８を停止する。
【００３８】
ステップＳ３０７では、減圧制御を開始する。また、脈波検出部１１４及び血圧検出部１１５では測定動作を、カフ圧力検出部１１３は、圧力データの保持を開始する。
【００３９】
ステップＳ３０８では、カフの内圧が終了圧力値に到達したか否かを判定する。ステップＳ３０８において終了圧力値に到達していないと判定された場合には、減圧制御及び測定動作を継続する。一方、ステップＳ３０８において終了圧力値に到達したと判定された場合には、ステップＳ３０９に進む。
【００４０】
ステップＳ３０９では、減圧制御を停止するとともに、測定動作を終了する。
【００４１】
ステップＳ３１０では、脈波検出部１１４が、減圧過程において圧力データに複数重畳された脈波成分を抽出し、血圧検出部１１５が、該抽出された各脈波成分の山の形状（カフ圧力の変化に対応して変化する各脈波成分のプロファイル）の変遷に基づいて、最高血圧値（収縮期血圧値）と最低血圧値（拡張期血圧値）とを決定する。
【００４２】
ステップＳ３１１では、決定された最高血圧値及び最低血圧値を血圧表示部１１７に表示する。
【００４３】
ステップＳ３１２では、採取した圧力データについての表示指示が入力されたか否かを判定する。
【００４４】
ステップＳ３１２において、採取した圧力データについての表示指示が入力されたと判定された場合には、ステップＳ３１３に進み、画像生成部１１６が、採取した圧力データ及び検出脈波情報に基づいて、圧力データと最高血圧値または最低血圧値との関係を把握するために各脈波成分の山の形状の変遷を可視化した圧力データ可視化画像を生成する。ステップＳ３１３において、生成された圧力データ可視化画像の血圧表示部１１７への表示が完了すると、測定処理を終了する。
【００４５】
一方、ステップＳ３１２において、採取した圧力データについての表示指示が入力されなかったと判定された場合には、そのまま測定処理を終了する。
【００４６】
４．画像生成部の機能構成
次に画像生成部１１６の機能構成の詳細について図４及び図５を用いて説明する。図４は、画像生成部１１６の機能構成の詳細を示す図である。図５は、画像生成部１１６を構成する各部が動作することにより圧力データ可視化画像が生成されていく過程を説明するための図である。
【００４７】
図４において、４０１は圧力データ取得部であり、圧力データをカフ圧力検出部１１３より取得する。図５（ａ）は、取得された圧力データの一例を示す図である。図５（ａ）において、横軸は減圧制御を開始してからの時間を示しており、縦軸はカフの圧力を示している。
【００４８】
４０２は検出脈波情報取得部であり、脈波の発生区間の情報を脈波検出部より取得する。
【００４９】
４０３は脈波成分抽出部であり、取得した検出脈波情報を基に、圧力データから脈波成分を抽出する。抽出する脈波成分は、図５(a)の取得された圧力データから行なってもよいし、取得した圧力データをフィルタリング処理し、低周波数成分を除去した後の圧力データ図５（ｂ）の圧力データから行なってもよい。図５（ｃ）は、脈波成分抽出部４０３において、図５（ｂ）の圧力データから脈波成分を抽出する様子を示した図である。
【００５０】
図５（ｃ）に示すように、取得した検出脈波情報に含まれる、各脈波成分５１１〜５１５が現れた時点５２１〜５２５を基準として、所定時間５３１だけ遡った時点と、所定時間５３２だけ経過した時点との間に挟まれた圧力データを抽出する。なお、所定時間５３１だけ遡った時点を、抽出開始時点と称す。また、所定時間５３２だけ経過した時点を、抽出終了時点と称す。
【００５１】
４０４は圧力データ可視化画像生成部であり、圧力データ可視化画像を生成する。図５（ｄ）は圧力データ可視化画像の生成過程を示した図である。図５（ｄ）において、横軸は抽出された各脈波成分の抽出開始時点から抽出終了時点までの時間を示している。また、縦軸は、各脈波成分５１１〜５１５が抽出された際のカフの圧力を示している。
【００５２】
図５（ｄ）に示すように、脈波成分抽出部４０３において抽出された各脈波成分５１１〜５１５は、各脈波成分５１１〜５１５が抽出された際のカフの圧力に対応する縦軸の位置に配された矩形領域５４１〜５４５において、各脈波成分の各時間の経過に沿って振幅値に対応した色が割り当てられる。なお、脈波成分の振幅値に対応する色は、予め定められているものとする。
【００５３】
例えば、脈波成分５１１の場合、該脈波成分が抽出された際のカフの圧力は１９０ｍｍＨｇであるため、図５（ｄ）では１９０ｍｍＨｇの圧力に対応する縦軸の位置に配された矩形領域５４１において、脈波成分５１１の各時間の経過に沿って振幅値に対応した色が割り当てられている。この結果、矩形領域５４１の中央部分は、脈波成分の振幅値が大きいため、濃い色となり、矩形領域５４１の両端部分（すなわち、抽出開始時点と抽出終了時点付近）は、脈波成分の振幅値が小さいため、薄い色となっている。
【００５４】
また、図５（ｄ）では抽出開始時点から抽出終了時点までの時間のカフ圧に対応する値に対応した１９０ｍｍＨｇの固定値の位置で表示するようにしているが、各時間での減圧中のカフ圧に対応して表示するようにしてもよい。
【００５５】
図５（ｄ）の生成過程を経ることで、圧力データ可視化画像生成部４０４では、圧力データ可視化画像の生成を行う。
【００５６】
５．実施例
図６は、圧力データ可視化画像生成部４０４において生成された圧力データ可視化画像の一例を示す図である。図６において、横軸は各脈波成分の抽出開始時点から抽出終了時点までの時間を示している。また、縦軸は、カフの圧力を示している。
【００５７】
図６に示すように、圧力データ可視化画像では、各脈波成分の山の形状（プロファイル）として、脈波成分の各時間における振幅値が、対応する色によって表現され、該各脈波成分の各時間における振幅値を、対応する色によって表現することで得られた矩形領域が、該各脈波成分が抽出された際の圧力の順に縦軸方向に連続的に示されることとなる。
【００５８】
この結果、脈波成分の山の形状の変遷を、直感的に把握することが可能となる。
【００５９】
［第２の実施形態］
上記第１の実施形態では、各脈波成分の山の形状（プロファイル）として、脈波成分の各時間における振幅値を、対応する色によって表現することとしたが、本発明はこれに限定されない。
【００６０】
例えば、脈波成分の各時間における振幅値を、折れ線グラフによって表現するようにしてもよい。
【００６１】
図７は、圧力データ可視化画像生成部４０４において生成された圧力データ可視化画像の一例を示す図である。図７において、軸７０１は各脈波成分の抽出開始時点から抽出終了時点までの時間を示している。また、軸７０２は、カフの圧力を示している。更に、軸７０３は、振幅値を表わしている。なお、軸７０１〜軸７０３は互いに直交している。
【００６２】
図７に示すように、本実施形態の圧力データ可視化画像では、各脈波成分の山の形状（プロファイル）として、脈波成分の各時間における振幅値が、折れ線グラフによって表現され、該各脈波成分の各時間における振幅値を、折れ線グラフによって表現することで得られた矩形領域が、該各脈波成分が抽出された際の圧力の順に軸７０２方向に連続的に示されることとなる。
【００６３】
この結果、脈波成分の山の形状の変遷を、直感的に把握することが可能となる。
【００６４】
［第３の実施形態］
上記第１及び第２の実施形態では、脈波成分の山の形状（プロファイル）として、脈波成分の各時間における振幅値を用いることとしたが、本発明はこれに限定されない。例えば、脈波成分の各時間における振幅値の時間変化（一次微分値）を用いるようにしても良い。以下、本実施形態の詳細について説明する。
【００６５】
１．画像生成部の機能構成
図８は、本実施形態にかかる電子血圧計の画像生成部８００の機能構成を示す図である。画像生成部８００を構成する各部のうち、第１の実施形態において説明した画像生成部１１６と同様の機能を有する部分については、同一の参照番号を付すこととし、説明は省略する。画像生成部１１６との差異は、速度脈波算出部８０１が付加されている点である。
【００６６】
速度脈波算出部８０１では、脈波成分抽出部４０３において抽出された各脈波成分の各時間における振幅値を一次微分処理することで、脈波成分の各時間における振幅値の時間変化を算出し、速度脈波成分として出力する。
【００６７】
そして、圧力データ可視化画像生成部８０２では、速度脈波算出部８０１より出力された速度脈波成分に基づいて圧力データ可視化画像を生成する。
【００６８】
図９は、圧力データ可視化画像生成部８０２において圧力データ可視化画像が生成されていく過程を説明するための図である。このうち、図９（ｄ）は、脈波成分抽出部４０３において抽出された各脈波成分５１１〜５１５の各時間における振幅値を一次微分処理することで取得された速度脈波成分９１１〜９１５を示している。
【００６９】
圧力データ可視化画像生成部８０２では、速度脈波算出部８０１より出力された速度脈波成分に基づいて圧力データ可視化画像を生成する。図９（ｅ）は圧力データ可視化画像の生成過程を示す図である。図９（ｅ）において、横軸は抽出された各速度脈波成分の抽出開始時点から抽出終了時点までの時間を示している。また、縦軸は、各速度脈波成分９１１〜９１５に対応する各脈波成分５１１〜５１５が抽出された際のカフの圧力を示している。
【００７０】
図９（ｅ）に示すように、速度脈波算出部８０１により出力された各速度脈波成分は、各速度脈波成分に対応する各脈波成分が抽出された際のカフの圧力に対応する縦軸の位置に配された矩形領域９４１〜９４５において、各速度脈波成分の各時間の経過に沿って振幅値に対応した色が割り当てられる。なお、速度脈波成分の振幅値（脈波成分の振幅の時間変化量）に対応する色は、予め定められているものとする。
【００７１】
例えば、速度脈波成分９１１の場合、圧力値は１９０ｍｍＨｇであるため、図９（ｅ）の１９０ｍｍＨｇの圧力値に対応する縦軸の位置に配された矩形領域９４１において、速度脈波成分９１１の各時間の経過に沿って振幅値に対応した色が割り当てられている。
【００７２】
図９（ｅ）に示す圧力データ可視化画像の生成過程を経ることで、圧力データ可視化画像生成部８０２では、圧力データ可視化画像の生成を行う。
【００７３】
２．実施例
図１０は、圧力データ可視化画像生成部８０２において生成された圧力データ可視化画像の一例を示す図である。図１０において、横軸は各速度脈波成分の抽出開始時点から抽出終了時点までの時間を示している。また、縦軸は、カフの圧力を示している。
【００７４】
図１０に示すように、圧力データ可視化画像では、各脈波成分の山の形状（プロファイル）として、速度脈波成分の各時間における振幅値が対応する色によって表現され、該各速度脈波成分の各時間における振幅値を対応する色によって表現することで得られた矩形領域が、該各速度脈波成分に対応する脈波成分が抽出された際の圧力の順に縦軸方向に連続的に示されることとなる。
【００７５】
この結果、脈波成分の山の形状の変遷を、直感的に認識することが可能となる。
【００７６】
［第４の実施形態］
上記第３の実施形態において説明したように、圧力データ可視化画像では、脈波成分の山の形状（プロファイル）として、各時間における振幅値に対応する色が割り当てられた速度脈波成分が、縦軸方向に連続的に配置されるため、ユーザは、当該色の変化を観察することで、脈波成分の山の形状の変遷を把握することが可能となった。
【００７７】
しかしながら、圧力データ可視化画像は、色の変化のみならず、色の分布についても特徴がある。
【００７８】
図１１は、血管の固い被検者を血圧測定することにより得られた圧力データ可視化画像の一例を示す図である。図１０との対比からわかるように、血管の固い被検者の場合、圧力データ可視化画像において、速度脈波成分の振幅値が大きい時間帯が１箇所ではなく、複数箇所存在する。そのため、図１１の場合、速度脈波成分の振幅値の大きい領域が楕円形状ではなく、Ｖ字形状として表示されることとなる。
【００７９】
このように、圧力データ可視化画像では、速度脈波成分の振幅値の大きい領域の形状（すなわち、色の分布）を観察することで、被検体の血管の状態を推測することも可能である。
【００８０】
［第５の実施形態］
上記第４の実施形態では、各脈波成分の山の形状（プロファイル）として、脈波成分の各時間における振幅値の時間変化（振幅値の一次微分値）を、対応する色によって表現することとしたが、本発明はこれに限定されない。
【００８１】
例えば、脈波成分の各時間における振幅値の一次微分値を、折れ線グラフによって表現するようにしてもよい。
【００８２】
図１２は、圧力データ可視化画像生成部８０２において生成された圧力データ可視化画像の一例を示す図である。図１２において、軸１２０１は各脈波成分の抽出開始時点から抽出終了時点までの時間を示している。また、軸１２０２は、カフの圧力を示している。更に、軸１２０３は、振幅値の一次微分値を表わしている。なお、軸１２０１〜軸１２０３は互いに直交している。
【００８３】
図１２に示すように、本実施形態の圧力データ可視化画像では、各脈波成分の山の形状（プロファイル）として、脈波成分の各時間における振幅値の一次微分値が、折れ線グラフによって表現され、該各脈波成分の各時間における振幅値の一次微分値を、折れ線グラフによって表現することで得られた矩形領域が、該各脈波成分が抽出された際の圧力の順に軸１２０２方向に連続的に示されることとなる。
【００８４】
この結果、脈波成分の山の形状の変遷を、直感的に把握することが可能となる。
【００８５】
［第６の実施形態］
上記第３の実施形態では、各脈波成分の山の形状（プロファイル）として、脈波成分の各時間における振幅値の時間変化（振幅値の一次微分値）を、対応する色によって表現することとしたが、本発明はこれに限定されない。例えば、振幅値の二次微分値（加速度脈波成分）を対応する色によって表現するようにしてもよい。
【００８６】
また、上記第５の実施形態では、各脈波成分の山の形状（プロファイル）として、脈波成分の各時間における振幅値の一次微分値を、折れ線グラフによって表現することとしたが、本発明はこれに限定されない。例えば、振幅値の二次微分値（加速度脈波成分）を、折れ線グラフによって表現するようにしてもよい。
【００８７】
［第７の実施形態］
上記第１の実施形態では、オシロメトリック法において、カフ部１０１がいわゆるトリプルカフ（カフを、阻血用空気袋，脈波を検出する脈波検出用空気袋，サブ空気袋の３つで構成）の場合について説明したが、本発明はこれに限定されず、シングルカフ（カフを、阻血用空気袋のみで構成）であっても、いわゆるダブルカフ（カフを、阻血用空気袋，脈波を検出する脈波検出用空気袋，の２つで構成）であっても同様に適用可能である。
【００８８】
また、上記第１の実施形態では、オシロメトリック法により最高血圧及び最低血圧を決定する電子血圧計を前提として説明したが、本発明はこれに限定されず、マイクロフォン法により最高血圧及び最低血圧を決定する電子血圧計においても適用可能である。
【００８９】
また、上記第１の実施形態では、圧力データ可視化画像を血圧表示部１１７に表示する場合について説明したが、本発明はこれに限定されず、外部の画像表示装置に出力する構成としてもよい。
【図１】
2010220887.tif 000003
【図２】
2010220887.tif 000004
【図３】
2010220887.tif 000005
【図４】
2010220887.tif 000006
【図７】
2010220887.tif 000007
【図８】
2010220887.tif 000008
【図１２】
2010220887.tif 000009
【図５】
2010220887.tif 000010
【図６】
2010220887.tif 000011
【図９】
2010220887.tif 000012
【図１０】
2010220887.tif 000013
【図１１】
2010220887.tif 000014